(57)【要約】【課題】特定の者のみがアクセスできるようにセキュリティを管理できる情報表示システムを提供する。【解決手段】情報表示を行う情報表示装置と、情報表示装置の管理を行う管理装置と、固有のＩＤを保持するＩＤ保持手段を含む情報表示システムにおいて、情報表示装置は、ＩＤ保持手段から人体通信を介して固有のＩＤを読み出す人体通信手段と、固有のＩＤを管理装置へ送信する手段と、送信した固有のＩＤに応じた表示データを管理装置から受信する表示データ受信手段と、受信した表示データを表示する表示手段とを備え、管理装置は、情報表示装置に表示するべき表示データを記憶する表示データ記憶手段と、情報表示装置から固有のＩＤを受信するＩＤ受信手段と、受信した固有のＩＤに応じた表示データを特定する表示データ特定手段と、特定した表示データを表示データ記憶手段から読み出して、情報表示装置へ送信する表示データ送信手段とを備える。【選択図】図１
2011076593.tif 000002
【特許請求の範囲】
【請求項１】
情報表示を行う情報表示装置と、前記情報表示装置の管理を行う管理装置と、固有のＩＤを保持するＩＤ保持装置を含む情報表示システムにおいて、
前記情報表示装置は、
前記ＩＤ保持装置から人体通信を介して前記固有のＩＤを読み出す人体通信手段と、
前記固有のＩＤを前記管理装置へ送信するＩＤ送信手段と、
送信した前記固有のＩＤに応じた表示データを前記管理装置から受信する表示データ受信手段と、
受信した前記表示データを表示する表示手段と
を備え、
前記管理装置は、
前記情報表示装置に表示するべき表示データを記憶する表示データ記憶手段と、
前記情報表示装置から前記固有のＩＤを受信するＩＤ受信手段と、
受信した前記固有のＩＤに応じた表示データを特定する表示データ特定手段と、
特定した表示データを前記表示データ記憶手段から読み出して、前記情報表示装置へ送信する表示データ送信手段と
を備えたことを特徴とする情報表示システム。
【請求項２】
前記ＩＤ保持装置は、さらに
前記管理装置から前記情報表示装置が表示すべき表示データを受信する表示データ受信手段と、
前記固有のＩＤ、または前記管理装置から受信した表示データを前記情報表示装置に送信する人体通信手段と
を備えたことを特徴とする請求項１に記載の情報表示システム。
【請求項３】
情報表示装置に表示するべき表示データを記憶する表示データ記憶手段と、
前記情報表示装置から前記固有のＩＤを受信するＩＤ受信手段と、
受信した前記固有のＩＤに応じた表示データを特定する表示データ特定手段と、
特定した表示データを前記表示データ記憶手段から読み出して、前記情報表示装置へ送信する表示データ送信手段と
を備えたことを特徴とする管理装置。
【請求項４】
固有のＩＤを保持するＩＤ保持手段から人体通信を介して前記固有のＩＤを読み出す人体通信手段と、
前記固有のＩＤを管理装置へ送信するＩＤ送信手段と、
送信した前記固有のＩＤに応じた表示データを管理装置から受信する表示データ受信手段と、
受信した前記表示データを表示する表示手段と
を備えたことを特徴とする情報表示装置。
【請求項５】
請求項４に記載の情報表示装置を備えたことを特徴とする電子棚札端末。
【発明の詳細な説明】
【技術分野】
【０００１】
本発明は、情報表示システム、管理装置、情報表示装置および電子棚札端末に関する。
【背景技術】
【０００２】
従来から商品の配置状態等を目視しながら、その商品の売上実績を簡単に確認できるようにした電子棚札システムが知られている（例えば、特許文献１参照）。これは、電子棚札コントローラとこれに有線または無線で接続された複数の電子棚札とからなり、電子棚札をそれぞれ陳列商品に対応して配設するとともに、電子棚札コントローラからの送信データに基づいて商品の値段を表示する電子棚札システムであり、電子棚札に必要に応じて値段を表示している商品の売上実績データを表示可能にするものである。
【０００３】
また、電子棚札に顧客単位の商品価格等の顧客情報を表示できるようにした商品情報表示システムも知られている（例えば、特許文献２参照）。これは、電子棚札に、個人に固有の身体的特徴である指紋を検出する指紋読取部を設け、表示制御装置は、各顧客の指紋データがデータベース化されている顧客データベースを有しており、電子棚札の指紋読取部により検出された指紋データで顧客データベースを参照して顧客を特定して、指紋データを検出した電子棚札が対応する商品に対する当該顧客のユーザ価格を電子棚札に表示させるものである。
【先行技術文献】
【特許文献】
【０００４】
【特許文献１】特開２００１−２０９８６１号公報
【特許文献２】特開２００６−３５０６３７号公報
【発明の概要】
【発明が解決しようとする課題】
【０００５】
しかしながら、特許文献１に記載の電子棚札システムにあっては、表示切替を行うために、店員が電子棚札コントローラなどの装置を操作しなければならず、店員の作業性を低下させるという問題がある。
【０００６】
また、棚札端末に入力装置を設けた場合、売上げ情報など重要情報には予め設定した特定の店員のみがアクセスできるようにセキュリティを管理する機能が必要である。しかしながら、特許文献２に記載の商品情報表示システムのようにセキュリティ確保のために生体認証装置などを設ける必要があり、棚札端末の大型化、コスト増大、視認性や作業性の低下を招くという問題がある。
【０００７】
本発明は、このような事情に鑑みてなされたもので、特定の者のみがアクセスできるようにセキュリティを管理する機能を備えた情報表示システム、管理装置、情報表示装置および電子棚札端末を提供することを目的とする。
【課題を解決するための手段】
【０００８】
本発明は、情報表示を行う情報表示装置と、前記情報表示装置の管理を行う管理装置と、固有のＩＤを保持するＩＤ保持装置を含む情報表示システムにおいて、前記情報表示装置は、前記ＩＤ保持装置から人体通信を介して前記固有のＩＤを読み出す人体通信手段と、前記固有のＩＤを前記管理装置へ送信するＩＤ送信手段と、送信した前記固有のＩＤに応じた表示データを前記管理装置から受信する表示データ受信手段と、受信した前記表示データを表示する表示手段とを備え、前記管理装置は、前記情報表示装置に表示するべき表示データを記憶する表示データ記憶手段と、前記情報表示装置から前記固有のＩＤを受信するＩＤ受信手段と、受信した前記固有のＩＤに応じた表示データを特定する表示データ特定手段と、特定した表示データを前記表示データ記憶手段から読み出して、前記情報表示装置へ送信する表示データ送信手段とを備えたことを特徴とする。
【０００９】
本発明は前記ＩＤ保持装置は、さらに前記管理装置から前記情報表示装置が表示すべき表示データを受信する表示データ受信手段と、前記固有のＩＤ、または前記管理装置から受信した表示データを前記情報表示装置に送信する人体通信手段とを備えたことを特徴とする。
【００１０】
本発明は、情報表示装置に表示するべき表示データを記憶する表示データ記憶手段と、前記情報表示装置から前記固有のＩＤを受信するＩＤ受信手段と、受信した前記固有のＩＤに応じた表示データを特定する表示データ特定手段と、特定した表示データを前記表示データ記憶手段から読み出して、前記情報表示装置へ送信する表示データ送信手段とを備えたことを特徴とする。
【００１１】
本発明は、固有のＩＤを保持するＩＤ保持手段から人体通信を介して前記固有のＩＤを読み出す人体通信手段と、前記固有のＩＤを管理装置へ送信するＩＤ送信手段と、送信した前記固有のＩＤに応じた表示データを管理装置から受信する表示データ受信手段と、受信した前記表示データを表示する表示手段とを備えたことを特徴とする。
【００１２】
本発明は、固有のＩＤを保持するＩＤ保持手段から人体通信を介して前記固有のＩＤを読み出す人体通信手段と、前記固有のＩＤを管理装置へ送信するＩＤ送信手段と、送信した前記固有のＩＤに応じた表示データを管理装置から受信する表示データ受信手段と、受信した前記表示データを表示する表示手段とを備えた情報表示装置を備えた電子棚札端末である。
【発明の効果】
【００１３】
本発明によれば、店員や顧客に、固有のカードＩＤを記憶したＩＤカードを携帯させて、カードＩＤに関係付けられた表示データを表示するようにしたため、特定の店員や顧客のみに固有の表示データを提示することが可能となり、特定の者のみがアクセスできるようにセキュリティを管理する機能を実現することができるという効果が得られる。
【図面の簡単な説明】
【００１４】
【図１】本発明の一実施形態の構成を示すブロック図である。
【図２】図１に示す電子棚札端末１の構成を示すブロック図である。
【図３】図１に示すＥＳＬサーバ２の構成を示すブロック図である。
【図４】図１に示すＩＤカード８の構成を示すブロック図である。
【図５】図２、図３に示す電子棚札端末１及びＥＳＬサーバ２の動作を示すフローチャートである。
【図６】図２に示すセキュリティレベル記憶部２０のテーブル構造を示す説明図である。
【図７】図２に示す管理データ記憶部２６のテーブル構造を示す説明図である。
【図８】図１に示す電子棚札端末１の画面表示例を示す説明図である。
【図９】図２に示す電子棚札端末１の構成の変形例を示すブロック図である。
【図１０】図３に示すＥＳＬサーバ２の構成の変形例を示すブロック図である。
【図１１】図９、図１０に示す電子棚札端末１及びＥＳＬサーバ２の動作を示すフローチャートである。
【図１２】本実施形態における電子棚札端末１が設置される棚の外観を示した概略図である。
【図１３】本実施形態における人体通信の原理を示す説明図である。
【図１４】図１に示すＩＤカード８の構成の変形例を示すブロック図である。
【発明を実施するための形態】
【００１５】
以下、図面を参照して、本発明の一実施形態による電子棚札システムを説明する。図１は同実施形態の構成を示すブロック図であり、本実施形態の電子棚札システムを含んだ販売店システムの構成を示したブロック図である。図示する例では、販売店システムは、電子棚札システムと、ＰＯＳ（Point of sales）サーバ６と、ＰＯＳレジスタ７とを備えている。また、電子棚札システムは、電子棚札端末１−１〜１−３と、ＥＳＬ（Electronic shelf label；電子棚札）サーバ２（管理装置）と、アクセスポイント３と、中継機４−１〜４−３と、ハンディ端末５とを備えている。ＥＳＬサーバ２とＰＯＳサーバ６とはバックヤード１００に設置されている。電子棚札端末１と、アクセスポイント３と、中継機４−１〜４−３と、ＰＯＳレジスタ７とは店舗２００内に設置されている。
【００１６】
ＥＳＬサーバ２と、アクセスポイント３、中継機４−１、４−２、ＰＯＳサーバ６およびＰＯＳレジスタ７とは有線ネットワークで接続されており、互いにデータ通信を行うことができる。また、アクセスポイント３と、中継機４−３およびハンディ端末５とは無線ＬＡＮなどの無線ネットワークで接続されており、互いにデータ通信を行うことができる。また、電子棚札端末１−１〜１−３と中継機４−１〜４−３とは、近距離無線方式（例えば、ＩＥＥＥ８０２．１５．４）を用いた無線ネットワークで接続されており、互いにデータ通信を行うことができる。これにより、電子棚札端末１−１〜１−３とＥＳＬサーバ２とは互いにデータ通信を行うことができる。また、ＥＳＬサーバ２とハンディ端末５とは互いにデータ通信を行うことができる。なお、電子棚札端末１−１〜１−３と中継機４−１〜４−３との間の無線ネットワークで近距離無線方式を用いることにより、電子棚札端末１を小型化および長電池寿命化することができ、電子棚札端末１−１〜１−３と中継機４−１〜４−３との間の通信速度を高速化することができる。ＩＤカード８は、一意の識別情報（ＩＤ；Identification）が記憶されたカードであり、店員が携帯する。ＩＤカード８は、人体通信を使用することにより、電子棚札端末１−１〜１−３との間でデータ通信を行うことができる。
【００１７】
電子棚札端末１は商品の価格や説明などを表示する。ＥＳＬサーバ２は電子棚札端末１の管理を行う。アクセスポイント３と中継機４−１〜４−３とはデータ通信を中継する。ハンディ端末５は、ＥＳＬサーバ２に入力する情報を受け付け、この情報をＥＳＬサーバ２に送信する。ＰＯＳサーバ６は、商品の情報や、売り上げ情報などを管理する。ＰＯＳレジスタ７は、顧客が購入する商品の精算処理を行う。
【００１８】
次に、電子棚札端末１の構成について説明する。図２は、本実施形態における電子棚札端末１の構成を示したブロック図である。図示する例では、電子棚札端末１は、制御部１１と、表示部１２と、記憶部１３と、無線通信部１４と、電池１５と、人体通信部１６と、電極１７と、ＩＤ識別部１８と、タイマ１９と、セキュリティレベル記憶部２０とを備える。
【００１９】
制御部１１は、電子棚札端末１が備える各部の制御を行う。表示部１２は液晶表示装置などであり、商品の名前や商品の価格など情報表示を行う。記憶部１３は、電子棚札端末１の各部が処理の途中で使用するデータを一時記憶する。無線通信部１４は、中継機４−１〜４−３を介して、ＥＳＬサーバ２とデータの送受信を行う。電池１５は、電子棚札端末１が備える各部に電力を供給する。人体通信部１６は、電極１７を介して、ＩＤカード８内に記憶されているカードＩＤを読み取る。ＩＤ識別部１８は、セキュリティレベル記憶部２０に記憶されているカードＩＤ毎のセキュリティレベル情報を参照して、人体通信部１６において読み取ったカードＩＤに応じたセキュリティレベルを特定する。タイマ１９は、表示部１２にセキュリティレベルに応じた情報表示をおこなった際の情報表示を停止する時間を計時する。
【００２０】
ここで、図６を参照して、図２に示すセキュリティレベル記憶部２０のテーブル構造を説明する。セキュリティレベル記憶部２０は、一意のカードＩＤそれぞれに、セキュリティレベルの値が関係付けられて記憶されている。この例では、セキュリティレベルは１〜３の３段階としているが、２段階または４段階以上であってもよい。
【００２１】
なお、制御部１１は、状態情報取得部として定期的に動作して電子棚札端末１の状態情報を取得する。また、無線通信部１４は、制御部１１が取得した状態情報をＥＳＬサーバ２に送信する。状態情報は電子棚札端末１の状態を示す情報であり、例えば、電子棚札端末１が備える電池の残量を示す電池残量情報や、電子棚札端末１とＥＳＬサーバ２との間の通信状態を示す通信状態情報などを含んでいる。
【００２２】
次に、ＥＳＬサーバ２の構成について説明する。図３は、本実施形態におけるＥＳＬサーバ２の構成を示したブロック図である。図示する例では、ＥＳＬサーバ２は、管理装置制御部２１と、データ管理部２３と、管理装置通信部２４、表示データ記憶部２５と、管理データ記憶部２６とを備える。
【００２３】
管理装置制御部２１は、ＥＳＬサーバ２が備える各部の制御を行う。データ管理部２３は、管理データ記憶部２６に記憶されている管理データを参照して、表示するべき表示データを特定し、表示データ記憶部２５から表示データを読み出す。管理装置通信部２４は、中継機４−１〜４−３を介して、電子棚札端末１とデータの送受信を行う。
【００２４】
ここで、図７を参照して、図３に示す管理データ記憶部２６のテーブル構造を説明する。管理データ記憶部２６は、電子棚札端末１のそれぞれに予め付与されている電子棚札端末ＩＤ毎に、特定されたセキュリティレベル毎の表示するべき表示データの参照先（表示データ記憶部２５上のデータ格納場所パス名）が関係付けられて記憶されている。
【００２５】
次に、ＩＤカード８の構成について説明する。図４は、本実施形態におけるＩＤカード８の構成を示したブロック図である。図示する例では、ＩＤカード８は、人体通信部８１と、電池８２と、ＩＤ記憶部８３とを備える。
【００２６】
人体通信部８１は、電子棚札端末１内の人体通信部１６との間で人体通信を確立し、ＩＤ記憶部８３に記憶されているカードＩＤを読み出して送信する。電池８２は、人体通信部８１が動作するための電力を供給する。ＩＤ記憶部８３には、予め一意となるカードＩＤが記憶されている。
【００２７】
ここで、図１３を参照して、人体通信の動作原理を説明する。人体通信における信号伝送の方式は、電界方式と電流方式の二つに大別できる。電界方式は送信機側の発振によって人体に電界を生じさせるもので、この電界の変化を受信機で検知する。送受信機の電極と人体が直接触れていなくても通信が成立する。電流方式は、電界の代わりに人体に電流を流して通信する。電界方式よりは電磁雑音に強いが、電極と人体が直接触れている必要があるため、適用範囲が限られる（日経エレクトロニクス、２００８年６月３０日号、ｐｐ．９４−９８から引用）。図１３において、送信機は、本実施形態のＩＤカード８内の人体通信部８１に相当し、受信機は、本実施形態の人体通信部１６、電極１７に相当する。本実施形態においては、人体通信部１６及び人体通信部８１に公知の人体通信装置を適用するため、詳細な装置構成や処理動作の説明を省略する。
【００２８】
次に、電子棚札端末１が設置される棚について説明する。図１２は、本実施形態における電子棚札端末１が設置される棚の外観を示した概略図である。図示する例では、棚１０は、商品を配置する棚板１０１〜棚板１０３を上から順に備えている。棚板１０１には左側から順に電子棚札端末１−１〜１−３が設置されている。また、棚板１０２には左側から順に電子棚札端末１−４〜１−６が設置されている。また、棚板１０３には左側から順に電子棚札端末１−７〜１−９が設置されている。電子棚札端末１−１〜１−９のそれぞれには、一意に識別可能な電子棚札端末ＩＤが予め付与されており、内部に電子棚札端末ＩＤの情報を保持している。
【００２９】
次に、図５を参照して、図２、図３に示す電子棚札端末１−３とＥＳＬサーバ２の動作を説明する。ここでは、店員がＩＤカード８を携帯しており、図２、図４に示す人体通信部１６、８１は、電界方式の人体通信を行うことができるものとして説明する。また、電子棚札端末１−３の表示部１２の画面には、図８の符号Ｄ１で示す商品の価格情報が表示されている。ここで、例えば、在庫情報を確認しようとする場合に店員は、電子棚札端末１−３に近づき、電極１７に自身の手をかざす。電子棚札端末１−３の人体通信部１６は、常に人体通信が確立したかを確認する処理を実行して（ステップＳ１）おり、人体通信部１６は、店員が手をかざすことにより人体通信が確立すると、カードＩＤの読み出しを要求する。これを受けて、ＩＤカード８の人体通信部８１は、ＩＤ記憶部８３に記憶されているカードＩＤを読み出して、電子棚札端末１−３へ送信する。
【００３０】
人体通信部１６は、ＩＤカード８からカードＩＤが読み取れたか否かを判定し（ステップＳ２）、カードＩＤが読み取れた場合、読み取れたカードＩＤをＩＤ識別部１８へ出力する。ＩＤ識別部１８は、セキュリティレベル記憶部２０を参照して、人体通信部１６から出力されたカードＩＤに対応付けられたセキュリティレベルの値を特定する（ステップＳ３）。このとき、カードＩＤがセキュリティレベル記憶部２０に記憶されていない場合は、表示部１２に異常のカードＩＤであることを示すメッセージを表示する。ＩＤ識別部１８は、カードＩＤに対応するセキュリティレベルが特定できた場合、特定したセキュリティレベルを制御部１１へ出力する。制御部１１は、セキュリティレベルの値を受け取ると、記憶部１３に記憶されている電子棚札端末ＩＤを読みし、この電子棚札端末ＩＤとセキュリティレベルの値とを、無線通信部１４を介して、ＥＳＬサーバ２へ送信する（ステップＳ４）。
【００３１】
ＥＳＬサーバ２の管理装置通信部２４は、電子棚札端末１−３から電子棚札端末ＩＤとセキュリティレベルの値とを受信する（ステップＳ５）と、受信した電子棚札端末ＩＤとセキュリティレベルの値とをデータ管理部２３へ出力する。データ管理部２３は、管理データ記憶部２６から、電子棚札端末ＩＤとセキュリティレベルの値とで特定される表示データの参照先情報（表示データの格納場所のパス名）を読み出す。そして、特定された表示データの格納場所のパス名に基づいて、表示データ記憶部２５から表示するべき表示データ（ここでは、例えば在庫情報の表示データ）を読み出す（ステップＳ６）。そして、データ管理部２３は、読み出した表示データを電子棚札端末１−３へ送信する（ステップＳ７）。
【００３２】
電子棚札端末１−３の無線通信部１４は、この表示データを受信すると、受信した表示データを表示部１２へ表示する（ステップＳ８）。これにより、表示部１２の画面には、図８の符号Ｄ２で示すように、セキュリティレベルに応じた表示データが表示されることになる。店員は、この表示を確認し、再度電極１７に自身の手をかざす。人体通信部１６は、常に人体通信が確立したかを確認し（ステップＳ９）、ＩＤカード８からカードＩＤが読み取れたか否かを判定し（ステップＳ１０）、カードＩＤが読み取れた場合、表示部１２の表示画面を元に戻す（ステップＳ１１）。これにより、表示部１２の画面は、図８の符号Ｄ１で示す画面に戻る。
なお、表示部１２の表示画面を元に戻す処理は、タイマ１９が計時する時間によって表示切り替えを行うようにしてもよい。在庫情報の表示に切り替えた時点から計時を開始し、所定時間（例えば、３０秒）後に、表示部１２の表示画面を元に戻すようにする。このようにすることにより、例えば、店員が在庫情報の確認後、手をかざすのを忘れた場合でも表示を元の状態に戻すことができる。
【００３３】
このように、店員が携帯するＩＤカードに記憶されたカードＩＤで特定されるセキュリティレベルに応じた表示データを表示するようにしたため、売上げ情報や在庫情報などの重要情報には予め設定した特定の店員のみが情報参照を行うことができるセキュリティを管理する機能を実現することができる。
【００３４】
次に、図９、図１０を参照して、図２、図３に示す電子棚札端末１とＥＳＬサーバ２の構成の変形例を説明する。図９は、図２に示す電子棚札端末１を変形した構成を示すブロック図である。図１０は、図３に示すＥＳＬサーバ２を変形した構成を示すブロック図である。図９、図１０において、図２、図３に示す装置と同一の部分には同一の符号を付し、その説明を省略する。図２、図３に示す電子棚札端末１とＥＳＬサーバ２の構成と、図９、図１０に示す電子棚札端末１とＥＳＬサーバ２の構成が異なる点は、ＩＤ識別部１８とセキュリティレベル記憶部２０をＥＳＬサーバ２に備えた点である。
【００３５】
次に、図１１を参照して、図９、図１０に示す電子棚札端末１−３とＥＳＬサーバ２の動作を説明する。まず、在庫情報を確認しようとする場合に店員は、電子棚札端末１−３に近づき、電極１７に自身の手をかざす。電子棚札端末１−３の人体通信部１６は、常に人体通信が確立したかを確認する処理を実行する（ステップＳ２１）。そして、人体通信部１６は、店員が手をかざすことにより人体通信が確立すると、カードＩＤの読み出しを要求する。これを受けて、ＩＤカード８の人体通信部８１は、ＩＤ記憶部８３に記憶されているカードＩＤを読み出して、電子棚札端末１−３へ送信する。
【００３６】
人体通信部１６は、ＩＤカード８からカードＩＤが読み取れたか否かを判定し（ステップＳ２２）、カードＩＤが読み取れた場合、読み取れたカードＩＤを制御部１１へ出力する。制御部１１は、カードＩＤを受け取ると、記憶部１３に記憶されている電子棚札端末ＩＤを読みし、この電子棚札端末ＩＤとカードＩＤとを、無線通信部１４を介して、ＥＳＬサーバ２へ送信する（ステップＳ２３）。
【００３７】
ＥＳＬサーバ２の管理装置通信部２４は、電子棚札端末１−３から電子棚札端末ＩＤとカードＩＤを受信する（ステップＳ２４）と、受信したカードＩＤをＩＤ識別部１８へ出力する。ＩＤ識別部１８は、セキュリティレベル記憶部２０を参照して、人体通信部１６から出力されたカードＩＤに対応付けられたセキュリティレベルの値を特定する（ステップＳ２５）。ＩＤ識別部１８は、カードＩＤに対応するセキュリティレベルが特定できた場合、受信した電子棚札端末ＩＤとセキュリティレベルの値とをデータ管理部２３へ出力する。データ管理部２３は、管理データ記憶部２６から、電子棚札端末ＩＤとセキュリティレベルの値とで特定される表示データの参照先情報（表示データの格納場所のパス名）を読み出す。そして、特定された表示データの格納場所のパス名に基づいて、表示データ記憶部２５から表示するべき表示データ（ここでは、在庫情報の表示データ）を読み出す（ステップＳ２６）。そして、データ管理部２３は、読み出した表示データを電子棚札端末１−３へ送信する（ステップＳ２７）。
【００３８】
電子棚札端末１−３の無線通信部１４は、この表示データを受信すると、受信した表示データを表示部１２へ表示する（ステップＳ２８）。これにより、表示部１２の画面には、図８の符号Ｄ２で示すように、セキュリティレベルに応じた表示データが表示されることになる。店員は、この表示を確認し、再度電極１７に自身の手をかざす。人体通信部１６は、常に人体通信が確立したかを確認し（ステップＳ２９）、ＩＤカード８からカードＩＤが読み取れたか否かを判定し（ステップＳ３０）、カードＩＤが読み取れた場合、表示部１２の表示画面を元に戻す（ステップＳ３１）。これにより、表示部１２の画面は、図８の符号Ｄ１で示す画面に戻る。
【００３９】
このように、可搬の電子棚札端末１内にセキュリティレベル記憶部２０を備えずに、ＥＳＬサーバ２内に備えるようにしたため、セキュリティレベルの情報が流出してしまうことを防止することができる。
【００４０】
なお、前述した説明においては、ＩＤカード８を店員が携帯する例を説明したが、特定の顧客が携帯し、電子棚札端末１に特定顧客に対して固有の情報を表示するようにしてもよい。
【００４１】
また、前述した実施形態では、スーパーマーケットやコンビニエンスストア等の小売店の棚に付ける電子棚札端末１として説明したが、本発明は、電子棚札端末１に限られるものではなく、小売店で販売される商品等の情報以外の情報を表示する情報表示装置として用いてもよい。例えば、倉庫等において、保管物を保管しておく棚や、保管物を収めた箱や、保管物自体に付けて、その保管物の内容を電子的に情報を表示するラベルや札として用いてもよい。また、銀行等の書類を扱う業務において、用紙置き場に配置し、用紙の説明や残り枚数を表示する表示装置として用いてもよい。また、さらに、工場等において、作業員への作業指示を表示するパネルや部品を置く棚に付けて、部品の分類等を電子的に情報を表示するラベルや札として用いてもよい。
【００４２】
以上説明したように、店員や顧客に、固有のカードＩＤを記憶したＩＤカードを携帯させて、カードＩＤに関係付けられたセキュリティレベルに応じた表示データを表示するようにしたため、特定の店員や顧客のみに固有の表示データを提示することが可能となる。また、人体通信に電界方式を用いることにより、人間の皮膚に接触している必要はなく、人体の近く（数ｃｍ以内）にあれば、人体通信が可能となるため、ＩＤカード８は、カード型、ペンダント型、時計型など自由な形状、保持方法を選択することができる。また、セキュリティ確保のために生体認証装置などを設ける必要がないため、電子棚札端末１の大型化、コスト増大、視認性や作業性の低下を防止することができる。
【００４３】
また、店員や顧客が電子棚札端末１に手をかざすだけでカードＩＤを特定することが可能となるため、電子棚札端末の操作時にリモコンなどの端末を手に持ち操作する必要がなくなり、操作性を向上することができる。
【００４４】
次に、図１４を参照して、図５、図１１に示す電子棚札端末１とＥＳＬサーバ２の動作の変形例を説明する。
【００４５】
図１４は、本実施形態の変形例におけるＩＤカード８の構成を示したブロック図である。図示する例では、ＩＤカード８は、人体通信部８１と、電池８２と、ＩＤ記憶部８３と、無線通信部８４と、表示データ記憶部８５と、制御部８６とを備える。
制御部８６は、ＩＤカード８が備える各部の制御を行う。電池８２は、制御部８６およびＩＤ記憶部８３および人体通信部８１および無線通信部８４が動作するための電力を供給する。ＩＤ記憶部８３には、予め一意となるカードＩＤが記憶されている。表示データ受信部８４は、管理装置の表示データ送信部が送信した表示データを受信し、送信データ記憶部８５に記憶する。人体通信部８１は、電子棚札端末１内の人体通信部１６との間で人体通信を確立し、ＩＤ記憶部８３に記憶されているカードＩＤ、もしくは表示データ記憶部４５に記憶されている表示データを送信する。
【００４６】
次に、図５を参照して、図２、図３に示す電子棚札端末１−３とＥＳＬサーバ２の動作を説明する。ここでは、店員がＩＤカード８を携帯しており、図２、図１４に示す人体通信部１６、８１は、電界方式の人体通信を行うことができるものとして説明する。また、電子棚札端末１−３の表示部１２の画面には、図８の符号Ｄ１で示す商品の価格情報が表示されている。ここで、例えば、在庫情報を確認しようとする場合に店員は、電子棚札端末１−３に近づき、電極１７に自身の手をかざす。電子棚札端末１−３の人体通信部１６は、常に人体通信が確立したかを確認する処理を実行して（ステップＳ１）おり、人体通信部１６は、店員が手をかざすことにより人体通信が確立すると、カードＩＤの読み出しを要求する。これを受けて、ＩＤカード８の人体通信部８１は、ＩＤ記憶部８３に記憶されているカードＩＤを読み出して、電子棚札端末１−３へ送信する。
【００４７】
人体通信部１６は、ＩＤカード８からカードＩＤが読み取れたか否かを判定し（ステップＳ２）、カードＩＤが読み取れた場合、読み取れたカードＩＤをＩＤ識別部１８へ出力する。ＩＤ識別部１８は、セキュリティレベル記憶部２０を参照して、人体通信部１６から出力されたカードＩＤに対応付けられたセキュリティレベルの値を特定する（ステップＳ３）。このとき、カードＩＤがセキュリティレベル記憶部２０に記憶されていない場合は、表示部１２に異常のカードＩＤであることを示すメッセージを表示する。ＩＤ識別部１８は、カードＩＤに対応するセキュリティレベルが特定できた場合、特定したセキュリティレベルを制御部１１へ出力する。制御部１１は、セキュリティレベルの値を受け取ると、記憶部１３に記憶されている電子棚札端末ＩＤを読みし、この電子棚札端末ＩＤとセキュリティレベルの値とを、無線通信部１４を介して、ＥＳＬサーバ２へ送信する（ステップＳ４）。
【００４８】
ＥＳＬサーバ２の管理装置通信部２４は、電子棚札端末１−３から電子棚札端末ＩＤとセキュリティレベルの値とを受信する（ステップＳ５）と、受信した電子棚札端末ＩＤとセキュリティレベルの値とをデータ管理部２３へ出力する。データ管理部２３は、管理データ記憶部２６から、電子棚札端末ＩＤとセキュリティレベルの値とで特定される表示データの参照先情報（表示データの格納場所のパス名）を読み出す。そして、特定された表示データの格納場所のパス名に基づいて、表示データ記憶部２５から表示するべき表示データ（ここでは、例えば在庫情報の表示データ）を読み出す（ステップＳ６）。そして、データ管理部２３は、読み出した表示データをＩＤカード８へ送信する（ステップＳ７）。
【００４９】
ＩＤカード８の無線通信部８４は、この表示データを受信すると、受信した表示データを表示データ記憶部４５に記憶し、さらに人体通信部９１から電子棚札端末１−３の人体通信部１６に送信し、電子棚札端末１−３の表示部１２へ表示する（ステップＳ８）。これにより、表示部１２の画面には、図８の符号Ｄ２で示すように、セキュリティレベルに応じた表示データが表示されることになる。店員は、この表示を確認し、再度電極１７に自身の手をかざす。人体通信部１６は、常に人体通信が確立したかを確認し（ステップＳ９）、ＩＤカード８からカードＩＤが読み取れたか否かを判定し（ステップＳ１０）、カードＩＤが読み取れた場合、表示部１２の表示画面を元に戻す（ステップＳ１１）。これにより、表示部１２の画面は、図８の符号Ｄ１で示す画面に戻る。
【００５０】
なお、表示部１２の表示画面を元に戻す処理は、タイマ１９が計時する時間によって表示切り替えを行うようにしてもよい。在庫情報の表示に切り替えた時点から計時を開始し、所定時間（例えば、３０秒）後に、表示部１２の表示画面を元に戻すようにする。このようにすることにより、例えば、店員が在庫情報の確認後、手をかざすのを忘れた場合でも表示を元の状態に戻すことができる。
【００５１】
このように、店員が携帯するＩＤカードに記憶されたカードＩＤで特定されるセキュリティレベルに応じた表示データをＩＤカード経由で表示するようにしたため、売上げ情報や在庫情報などの重要情報には予め設定した特定の店員のみが情報参照を行うことができるセキュリティを管理する機能を実現することができる。
【００５２】
また、人体通信は、電子棚札端末へ表示データを送信するために使用されている無線通信方式に比べ、きわめて低消費電力である。したがって、電子棚札端末に表示データを人体通信を利用して送信することにより、消費電力を低減することが可能になり、電子棚札端末の電池を長寿命化することができる。
【００５３】
次に、図１１を参照して、図２、図３に示す電子棚札端末１とＥＳＬサーバ２の構成の変形例である、図９、図１０に示す電子棚札端末１−３とＥＳＬサーバ２の動作を説明する。まず、在庫情報を確認しようとする場合に店員は、電子棚札端末１−３に近づき、電極１７に自身の手をかざす。電子棚札端末１−３の人体通信部１６は、常に人体通信が確立したかを確認する処理を実行する（ステップＳ２１）。そして、人体通信部１６は、店員が手をかざすことにより人体通信が確立すると、カードＩＤの読み出しを要求する。これを受けて、ＩＤカード８の人体通信部８１は、ＩＤ記憶部８３に記憶されているカードＩＤを読み出して、電子棚札端末１−３へ送信する。
【００５４】
人体通信部１６は、ＩＤカード８からカードＩＤが読み取れたか否かを判定し（ステップＳ２２）、カードＩＤが読み取れた場合、読み取れたカードＩＤを制御部１１へ出力する。制御部１１は、カードＩＤを受け取ると、記憶部１３に記憶されている電子棚札端末ＩＤを読みし、この電子棚札端末ＩＤとカードＩＤとを、無線通信部１４を介して、ＥＳＬサーバ２へ送信する（ステップＳ２３）。
【００５５】
ＥＳＬサーバ２の管理装置通信部２４は、電子棚札端末１−３から電子棚札端末ＩＤとカードＩＤを受信する（ステップＳ２４）と、受信したカードＩＤをＩＤ識別部１８へ出力する。ＩＤ識別部１８は、セキュリティレベル記憶部２０を参照して、人体通信部１６から出力されたカードＩＤに対応付けられたセキュリティレベルの値を特定する（ステップＳ２５）。ＩＤ識別部１８は、カードＩＤに対応するセキュリティレベルが特定できた場合、受信した電子棚札端末ＩＤとセキュリティレベルの値とをデータ管理部２３へ出力する。データ管理部２３は、管理データ記憶部２６から、電子棚札端末ＩＤとセキュリティレベルの値とで特定される表示データの参照先情報（表示データの格納場所のパス名）を読み出す。そして、特定された表示データの格納場所のパス名に基づいて、表示データ記憶部２５から表示するべき表示データ（ここでは、在庫情報の表示データ）を読み出す（ステップＳ２６）。そして、データ管理部２３は、読み出した表示データをＩＤカード８へ送信する（ステップＳ２７）。
【００５６】
ＩＤカード８の無線通信部８４は、この表示データを受信すると、受信した表示データを表示データ記憶部４５に記憶し、さらに人体通信部９１から電子棚札端末１−３の人体通信部１６に送信し、電子棚札端末１−３の表示部１２へ表示する（ステップＳ２８）。これにより、表示部１２の画面には、図８の符号Ｄ２で示すように、セキュリティレベルに応じた表示データが表示されることになる。店員は、この表示を確認し、再度電極１７に自身の手をかざす。人体通信部１６は、常に人体通信が確立したかを確認し（ステップＳ２９）、ＩＤカード８からカードＩＤが読み取れたか否かを判定し（ステップＳ３０）、カードＩＤが読み取れた場合、表示部１２の表示画面を元に戻す（ステップＳ３１）。これにより、表示部１２の画面は、図８の符号Ｄ１で示す画面に戻る。
【００５７】
なお、表示部１２の表示画面を元に戻す処理は、タイマ１９が計時する時間によって表示切り替えを行うようにしてもよい。在庫情報の表示に切り替えた時点から計時を開始し、所定時間（例えば、３０秒）後に、表示部１２の表示画面を元に戻すようにする。このようにすることにより、例えば、店員が在庫情報の確認後、手をかざすのを忘れた場合でも表示を元の状態に戻すことができる。
【００５８】
このように、店員が携帯するＩＤカードに記憶されたカードＩＤで特定されるセキュリティレベルに応じた表示データをＩＤカード経由で表示するようにしたため、売上げ情報や在庫情報などの重要情報には予め設定した特定の店員のみが情報参照を行うことができるセキュリティを管理する機能を実現することができる。
【００５９】
また、人体通信は、電子棚札端末へ表示データを送信するために使用されている無線通信方式に比べ、きわめて低消費電力である。したがって、電子棚札端末に表示データを人体通信を利用して送信することにより、消費電力を低減することが可能になり、電子棚札端末の電池を長寿命化することができる。
【００６０】
なお、図１に示すＥＳＬサーバ２及び電子棚札端末１の機能を実現するためのプログラムをコンピュータ読み取り可能な記録媒体に記録して、この記録媒体に記録されたプログラムをコンピュータシステムに読み込ませ、実行することにより情報表示処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００６２】
電子棚札端末において売上げ情報など重要情報には予め設定した者のみがアクセスできるようにセキュリティを管理することが不可欠な用途にも適用できる。
【符号の説明】
【００６３】
１、１−１〜１−３・・・電子棚札端末、２・・・ＥＳＬサーバ（管理装置）、３・・・アクセスポイント、４−１〜４−３・・・中継機、５・・・ハンディ端末、６・・・ＰＯＳサーバ、７・・・ＰＯＳレジスタ、８・・・ＩＤカード、１０・・・棚、１１・・・制御部、１２・・・表示部、１３・・・記憶部、１４・・・無線通信部、１５・・・電池、１６・・・人体通信部、１７・・・電極、１８・・・ＩＤ識別部、１９・・・タイマ、２０・・・セキュリティレベル記憶部、２１・・・管理装置制御部、２３・・・データ管理部、２４・・・管理装置通信部、２５・・・表示データ記憶部、２６・・・管理データ記憶部、１００・・・バックヤード、１０１〜１０３・・・棚板、２００・・・店舗
【図１】
2011076593.tif 000003
【図２】
2011076593.tif 000004
【図３】
2011076593.tif 000005
【図４】
2011076593.tif 000006
【図５】
2011076593.tif 000007
【図６】
2011076593.tif 000008
【図７】
2011076593.tif 000009
【図８】
2011076593.tif 000010
【図９】
2011076593.tif 000011
【図１０】
2011076593.tif 000012
【図１１】
2011076593.tif 000013
【図１２】
2011076593.tif 000014
【図１３】
2011076593.tif 000015
【図１４】
2011076593.tif 000016